(57)【要約】      （修正有）【課題】鮮やかな色を持つ製品を作製することができ、黒色顔料を使用しない遮光性布帛を提供する。【解決手段】本遮光性布帛１０は、防水下地布１２と、色調和構造３０と、表面層２０とを備えており、防水下地布１２は第１の所定色を持ち、色調和構造３０は防水下地布１２上に設けられており、表面層２０は色調和構造３０上に設けられるとともに第２の所定色を持っている。色調和構造３０は底層１４と、第１のコート層１６と、第２のコート層１８とを含み、底層１４は防水下地布１２と第１のコート層１６との間に介在されており、第１のコート層１６の色が非黒色であって、第２のコート層１８は第１のコート層１６上に設けられ、第２のコート層１８の色が第１のコート層１６の色よりも薄い。【選択図】図１
0003161417.tif 000002
【実用新案登録請求の範囲】
【請求項１】
第１の所定色を持つ防水下地布、
底層と、第１のコート層と、第２のコート層とを含み、前記底層は前記防水下地布と前記第１のコート層との間に介在されており、前記第１のコート層の色が非黒色であって、前記第２のコート層は前記第１のコート層上に設けられ、前記第２のコート層の色が前記第１のコート層の色よりも薄い、前記防水下地布上に設けられている色調和構造、および
前記第２のコート層上に設けられ、第２の所定色を持つ表面層、
を備えたことを特徴とする遮光性布帛。
【請求項２】
前記底層がバインダ、酸化チタンおよび着色剤を含み、前記着色剤の色が前記第１の所定色と実質的に同色であることを特徴とする請求項１に記載の遮光性布帛。
【請求項３】
前記バインダがアクリル酸系バインダであることを特徴とする請求項２に記載の遮光性布帛。
【請求項４】
前記第１のコート層がバインダおよび酸化チタンを含むことを特徴とする請求項１に記載の遮光性布帛。
【請求項５】
前記バインダがウレタン系バインダであることを特徴とする請求項４に記載の遮光性布帛。
【請求項６】
前記第２のコート層がバインダおよび酸化チタンを含むことを特徴とする請求項１に記載の遮光性布帛。
【請求項７】
前記バインダがウレタン系バインダであることを特徴とする請求項６に記載の遮光性布帛。
【請求項８】
前記表面層がバインダ、着色剤およびラメ粉を含むことを特徴とする請求項１に記載の遮光性布帛。
【請求項９】
前記バインダがウレタン系バインダであることを特徴とする請求項８に記載の遮光性布帛。
【請求項１０】
前記防水下地布が綿、合成繊維、綿と合成繊維との混紡物またはポリエステルから構成されていることを特徴とする請求項１に記載の遮光性布帛。
【考案の詳細な説明】
【技術分野】
【０００１】
本考案は遮光性布帛に関し、特に鮮やかな色を持つ製品を作製することができる、黒色顔料を使用しない遮光性布地に関する。
【背景技術】
【０００２】
遮光性布帛は、日傘の傘地、カーテンおよび衣料などに広く用いられる用途を備えている。従来技術（例えば特許文献１）は黒色顔料で布帛下地布上に黒色遮光層を形成することで、遮光効果を達成している。しかし、この技術では黒色遮光層の上にさらに薄めの色のコート層を形成しにくいという欠点のため、製品の色合いが暗くなってしまい、鮮やかな色を表現できなかった。
【先行技術文献】
【特許文献】
【０００３】
【特許文献１】特開２００８−１１５４８８号公報
【考案の概要】
【考案が解決しようとする課題】
【０００４】
本考案の目的は、鮮やかな色を持つ製品を作製することができる、黒色顔料を使用しない遮光性布帛を提供するものである。
【課題を解決するための手段】
【０００５】
本考案の遮光性布帛の一実施例は、
第１の所定色を持つ防水下地布と、
底層と、第１のコート層と、第２のコート層とを含み、前記底層は前記防水下地布と前記第１のコート層との間に介在されており、前記第１のコート層の色が非黒色であって、前記第２のコート層は前記第１のコート層上に設けられ、前記第２のコート層の色が前記第１のコート層の色よりも薄い、前記防水下地布上に設けられている色調和構造と、
前記色調和構造上に設けられ、第２の所定色を持つ表面層と、を備えている。
【考案の効果】
【０００６】
本考案の遮光性布帛の色調和構造では、黒色顔料を使用せず、背景色の影響がないため、前記色調和構造の両側の防水下地布および表面層は使用者のニーズに応じて任意の色に作製でき、色の鮮やかな製品に応用できる。
【０００７】
上記では本考案の技術的特徴をかなり広汎に概略的に説明したが、下記の本考案の詳細な説明により、より一層の理解が得られるはずである。本考案の実用新案登録請求の標的を構成するその他技術的特徴を下記に記述する。本考案の技術分野の当業者であれば、下記に開示する技術的思想および特定の実施例を簡単に利用し、その他構成または製造工程に変更または設計することで、本考案と同じ目的を達成できる。本考案の当業者であれば、これら等価の構造は添付する実用新案登録請求の範囲にて限定する技術的思想および範囲を逸脱することはないということを理解するはずである。
【０００８】
下記説明および図面を参照することにより、本考案の技術的特徴は完全に理解できる。
【図面の簡単な説明】
【０００９】
【図１】本考案の遮光性布帛の一実施例を例示する図である。
【考案を実施するための形態】
【００１０】
図１には本考案の遮光性布帛１０の一実施例を例示する。本考案の一実施例において、前記遮光性布帛１０は防水下地布１２と、底層１４と、第１のコート層１６と、第２のコート層１８と、表面層２０とを備えており、前記底層１４、前記第１のコート層１６および前記第２のコート層１８で色調和構造３０を構成している。しかし本考案はこれに限定しない。
【００１１】
本考案の一実施例において、前記防水下地布１２は綿、合成繊維、綿と合成繊維との混紡物またはポリエステルから構成することができ、防水下地布１２は使用者の指定した色である第１の所定色に染められている。しかし本考案はこれに限定しない。
【００１２】
本考案の一実施例において、前記底層１４は前記防水下地布１２と第１のコート層１６との間に介在されており、バインダ、酸化チタンおよび着色剤を含み、前記着色剤の色は前記第１の所定色と実質的に同色であり、このうちバインダはアクリル酸系バインダとすることができる。しかし本考案はこれに限定しない。
【００１３】
本考案の一実施例において、前記第１のコート層１６は前記底層１４上に設けられており、バインダ、酸化チタンおよび着色剤を含み、このうち前記バインダはウレタン系バインダとすることができ、前記着色剤は非黒色の濃い色の着色剤（例えば紺色、深緑色、焦げ茶色）であるので、前記第１のコート層１６の色は非黒色である。しかし本考案はこれに限定しない。
【００１４】
本考案の一実施例において、前記第２のコート層１８は前記第１のコート層１６上に設けられており、前記第２のコート層１８はバインダ、酸化チタンおよび着色剤を含み、このうち前記バインダはウレタン系バインダとすることができ、しかも前記第２のコート層１８の色は前記第１のコート層１６の色よりも薄い。しかし本考案はこれに限定しない。
【００１５】
本考案の一実施例において、前記表面層２０は前記第２のコート層１８上に設けられており、前記表面層２０はバインダ、着色剤およびラメ粉を含み、このうち前記バインダはアクリル酸系バインダとすることができ、前記表面層２０は使用者の指定した色である第２の所定色を有している。しかし本考案はこれに限定しない。
【００１６】
従来技術では、黒色顔料で布帛下地布上に黒色遮光層を形成して、遮光効果を達成している。ただし、黒色の遮光層はかなり強い背景色の影響があるため、従来技術では黒色遮光層上にさらに薄めの色のコート層を形成しにくいという欠点のため、その製品の色合いが暗くなってしまい、鮮やかな色を表現できない。
【００１７】
これに対して、本考案の遮光性布帛１０の色調和構造３０は黒色顔料を使用せず、背景色の影響がないため、前記色調和構造３０の両側の防水下地布１２および表面層２０は使用者の所望する色に任意に作製でき、色の鮮やかな製品に応用できる。
【００１８】
本考案の技術内容および技術的長所は上記に開示したとおりであるが、本考案の技術分野の当業者であれば、添付する実用新案登録請求の範囲で限定する本考案の技術的思想および範囲を離れることなく、本考案の教示および開示に様々な置換および付加を行うことができることは理解するはずである。例えば、上記開示の数々の製造工程は異なる方法で実施するか、またはその他の工程に置換するか、または上記二種類の方式を組み合わせることもできる。
【００１９】
また、本願の権利範囲は上記開示した特定の実施例の製造工程、設備、製造、物質の成分、装置、方法または手順に限定されるものではない。本考案の技術分野の当業者であれば、本考案で教示および開示する製造工程、設備、製造、物質の成分、装置、方法または手順に基づき、現時点で存在するもの、または後日開発されるものに関わらず、それが本願の実施例に開示するものと実質的に同一の方式で実質的に同一の効果が実現され、そして実質的に同一の結果が達成されるものも、本考案に使用できるものである。したがって、別紙の実用新案登録請求の範囲はこの類の製造工程、設備、製造、物質の成分、装置、方法または手順を含むよう用いられる。
【産業上の利用可能性】
【００２０】
本考案の遮光性布帛の色調和構造では、黒色顔料を使用せず、背景色の影響がないため、前記色調和構造の両側の防水下地布および表面層は使用者のニーズに応じて任意の色に作製でき、色の鮮やかな製品に応用できる。
【符号の説明】
【００２１】
１０  遮光性布帛
１２  防水下地布
１４  底層
１６  第１のコート層
１８  第２のコート層
２０  表面層
３０  色調和構造
【図１】
0003161417.tif 000003